(57)【要約】【課題】表示された広告画像１９に対する視聴動向を正確に把握する。【解決手段】エレベータのかご１内に備えられた表示器１０に広告画像１９を順次表示する。そして、エレベータのかご１に乗り込んだ利用者４は表示器１０に表示された広告画像１９に関心がある場合のみ、自己が所持するＩＤカード１１をカードリーダ１２にかざす。表示管理端末１５は、カードリーダ１２にて非接触で読取られたＩＤカード１１に記録されているＩＤ情報と広告画像の画像番号とで視聴情報として、広告管理装置１７へ送信する。広告管理装置１７は視聴情報を用いて広告画像に対する集計処理を実施する。【選択図】      図１
2008133097.tif 000002
【特許請求の範囲】
【請求項１】
エレベータのかご内に備えられ、供給された広告画像を順次表示する表示器と、
前記かご内に備えられ、当該エレベータの利用者が所持するＩＤカードのかざし行為に応じて当該ＩＤカードに記憶されたＩＤ情報を非接触で読取るリーダと、
前記表示器に表示する広告画像を中継すると共に、前記リーダで読取られたＩＤ情報とこの時点で前記表示器に表示中の広告画像を特定する画像番号とを含む視聴情報を出力する表示管理端末と、
記憶保持している複数の広告画像を、前記表示管理端末を中継して前記表示器に供給すると共に、前記表示管理端末から出力された視聴情報に基づいて前記複数の広告画像における各広告画像毎の視聴情報を集計するとともに、各広告画像を視聴した利用者に対して報酬を付与する広告管理装置と
を備えたことを特徴とするエレベータの広告表示管理システム。
【請求項２】
エレベータのかご内に備えられ、供給された広告画像を順次表示する表示器と、
前記かご内に設けられ、当該エレベータの利用者が所持するＩＤカードのかざし行為に応じて当該ＩＤカードに記憶されたＩＤ情報を非接触で読取ると共に、前記表示器に表示されている広告画像の視聴に対する報酬情報を当該ＩＤカードに非接触で書込むリーダライタと、
前記表示器に表示する広告画像を中継すると共に、前記リーダライタで読取られたＩＤ情報とこの時点で前記表示器に表示中の広告画像を特定する画像番号とを含む視聴情報を出力する表示管理端末と、
記憶保持している複数の広告画像を、前記表示管理端末を中継して前記表示器に供給すると共に、前記表示管理端末から出力された視聴情報に基づいて前記複数の広告画像における各広告画像毎の視聴情報を集計する広告管理装置と
を備えたことを特徴とするエレベータの広告表示管理システム。
【請求項３】
前記リーダにおいて、前記広告画像の表示開始時と表示終了時とにおける２つの同一ＩＤ情報の読取りがあった場合にのみ、前記表示管理端末が当該広告画像の画像番号と当該ＩＤ情報との視聴情報を出力することを特徴とする請求項１記載のエレベータの広告表示管理システム。
【請求項４】
前記リーダライタにおいて、前記広告画像の表示開始時と表示終了時とにおける２つの同一ＩＤ情報の読取りがあった場合にのみ、前記表示管理端末が当該広告画像の画像番号と当該ＩＤ情報との視聴情報を出力し、かつ前記リーダライタはＩＤカードに報酬情報を書込むことを特徴とする請求項２記載のエレベータの広告表示管理システム。
【請求項５】
前記リーダ又はリーダライタは、前記表示器の裏面に取付けられ、前記ＩＤカードの前記表示器の表面からこの表示器を介したかざし行為に応じて当該ＩＤカードに記憶されたＩＤ情報を非接触で読取ることを特徴とする請求項１から４のいずれか１項記載のエレベータの広告表示管理システム。
【請求項６】
前記表示器の表示画面にタッチパネルが敷設され、
前記表示管理端末は、前記表示器に対して、前記複数の広告画像に対するメニュー画面を表示させ、前記利用者のタッチ操作で選択された広告画像の表示を開始させることを特徴とする請求項１から４のいずれか１項記載のエレベータの広告表示管理システム。
【請求項７】
前記表示管理端末は、前記エレベータのかご内のかご呼び登録装置に対する利用者のかご呼び登録操作に応じて、前記表示器に前記複数の広告画像の表示を開始させることを特徴とする請求項１から４のいずれか１項記載のエレベータの広告表示管理システム。
【請求項８】
前記利用者が所持するＩＤカードに書込まれる報酬情報は、ポイント情報、店舗のクーポン情報、電子マネー情報のいずれか一つの情報、もしくはそれらを組合せた情報であることを特徴とする請求項２又は４記載のエレベータの広告表示管理システム。
【請求項９】
前記表示管理端末は、前記ＩＤカードに書込まれる報酬情報を前記表示器に表示させることを特徴とする請求項８記載のエレベータの広告表示管理システム。
【発明の詳細な説明】
【技術分野】
【０００１】
本発明は、エレベータのかご内に表示器を設け、この表示器に広告画像を表示するエレベータの広告表示管理システムに関する。
【背景技術】
【０００２】
近年、情報通信技術の発展に伴い、建屋全体にネットワークケーブルが敷設され、建屋の各位置でインターネットへの接続環境が提供されるようになってきた。これに伴い、駅、商業ビル、マンション等に設置、又は配布される広告媒体は、従来のチラシ、ポスター等の紙ベースの媒体から、液晶表示器やプラズマディスプレイなどを用いた電子媒体に移行してきている。
【０００３】
また、近年、広告画像を保管しているセンターサーバーから、インターネットなどのネットワークを介して、建物内部や周辺に設置されたモニタに対して、広告画像を配信するシステムが普及し始めている。このようなネットワークや通信ケーブルを介して建屋内に広告を展開する施設の一つとして、多数の人が利用するエレベータがある。例えば、１０階以上の建屋においては、１階からエレベータのかごに乗込んでから、かごが１０階に到着するまでにかなりの時間を要する。この間、かご内の利用者は手持ち無沙汰になる。
【０００４】
この利用者の空き時間を利用して、利用者に広告を提供する技術が特許文献１に提唱されている。すなわち、この特許文献１に記載された「エレベーター広告視聴システム」においては、エレベータのかご内にモニタを設け、このモニタに広告を表示する。そして、このエレベータの利用者にＩＤ装置を所持させ、このＩＤ装置のＩＤ番号を自動的に非接触で読取る読取り装置を設けている。
【０００５】
したがって、このかごに乗り合わせ、広告を見た利用客は特に何ら操作を実施しなくても、広告を見たと判定する。この読取り装置で読取られた各利用者のＩＤ番号を集計することによって、該当広告を見た人（利用客）の統計情報を把握できる。さらに、該当広告を見た人（利用客）に対してポイントサービスを付与することができる。
【特許文献１】特開２００６−１１７３５５号公報
【発明の開示】
【発明が解決しようとする課題】
【０００６】
しかしながら上述した、エレベーター広告視聴システムにおいても、まだ改良すべき次のような課題があった。
【０００７】
すなわち、エレベータのかご内に設けられたモニタには、ネットワークや通信回線を介して配信側から一方的に広告が配信されるので、広告を視聴するかごに乗り合わせた利用客にとっては、自己に関係のない広告も見ることになる。しかし、必要な広告は、人によってまちまちである。
【０００８】
上述したように、エレベータのかご内と言う狭い空間内に閉じ込められた人全員が各広告を関心を持って鑑賞したとは考えられない。開かれた空間に設置されたモニタで広告が表示されている場合は、広告に関心のない人は、その場を離れれば、たとえＩＤ装置を所持していても、モニタ周辺に配設された読取り装置で自己のＩＤ番号が読取られることはない。
【０００９】
しかし、エレベータのかご内と言う狭い空間内に閉じ込められると、その場を離れることができないので、たとえ、広告に関心のない人であっても、広告に関心がある人としてＩＤ番号が読取られてしまう。したがって、このようにして読取られた各利用者のＩＤ番号を集計した該当広告を見た人（利用客）の統計値（性別、年齢、職業  etc）の精度は、前述した、開かれた空間に設置されたモニタで広告を表示した場合における該当広告を見た人（利用客）の統計値に比較して格段にその精度が低下する。
【００１０】
さらに、利用者が自らの意思を持って広告を視聴しているわけではなく、利用者が確実に広告を視聴したかどうかは定かでない。また利用者が確実に広告を視聴していないにもかかわらず、ポイント等の報酬を与えることは、広告主にとって満足度の低いシステムといえる。
【００１１】
本発明はこのような事情に鑑みてなされたものであり、たとえエレベータのかご内の狭い空間内においても、利用者が不快感を抱くことがなく、利用者自らの意思でもって積極的に広告視聴に参加でき、かつ広告を見た人（利用客）の性別、年齢、職業の統計値の算出精度を向上でき、広告に関心のある人に確実に報酬を提供でき、その結果、広告主にとって、広告効果を確実に得られるエレベータの広告表示管理システムを提供することを目的とする。
【課題を解決するための手段】
【００１２】
上記課題を解決するために、本発明のエレベータの広告表示管理システムにおいては、エレベータのかご内に備えられ、供給された広告画像を順次表示する表示器と、かご内に備えられ、当該エレベータの利用者が所持するＩＤカードのかざし行為に応じて当該ＩＤカードに記憶されたＩＤ情報を非接触で読取るリーダと、表示器に表示する広告画像を中継すると共に、リーダで読取られたＩＤ情報とこの時点で表示器に表示中の広告画像を特定する画像番号とを含む視聴情報を出力する表示管理端末と、記憶保持している複数の広告画像を表示管理端末を中継して表示器に供給すると共に、表示管理端末から出力された視聴情報に基づいて複数の広告画像における各広告画像毎の視聴情報を集計するとともに、各広告画像を視聴した利用者に対して報酬を付与する広告管理装置とを備えている。
【００１３】
このように構成されたエレベータの広告表示管理システムにおいては、利用者は表示器に表示された広告画像に関心がある場合のみＩＤカードをリーダにかざせば、ＩＤ情報と広告画像の画像番号とで視聴情報として、広告管理装置へ送信されて、統計処理が実施される。このように、広告画像に自らの意志で広告視聴に参加した利用者のＩＤ情報のみによって、統計処理が実施されるので統計処理結果の精度を向上できる。また、広告に自らの意志で広告視聴に参加した利用者に対してのみ報酬を付与できる。
【００１４】
また、別の発明に係わるエレベータの広告表示管理システムにおいては、エレベータのかご内に備えられ、供給された広告画像を順次表示する表示器と、かご内に設けられ、当該エレベータの利用者が所持するＩＤカードのかざし行為に応じて当該ＩＤカードに記憶されたＩＤ情報を非接触で読取ると共に、表示器に表示されている広告画像の視聴に対する報酬情報を当該ＩＤカードに非接触で書込むリーダライタと、表示器に表示する広告画像を中継すると共に、リーダライタで読取られたＩＤ情報とこの時点で表示器に表示中の広告画像を特定する画像番号とを含む視聴情報を出力する表示管理端末と、記憶保持している複数の広告画像を表示管理端末を中継して表示器に供給すると共に、表示管理端末から出力された視聴情報に基づいて複数の広告画像における各広告画像毎の視聴情報を集計する広告管理装置とを備えている。
【００１５】
このように構成されたエレベータの広告表示管理システムにおいては、リーダに代えてリーダライタが採用されている。このリーダライタは利用者のＩＤカードのかざし行為によって、ＩＤ情報を読取るとともに、ＩＤカードにこのＩＤカード所持者に付与する報酬情報が書込まれる。
【００１６】
また、別の発明においては、リーダにおいて、広告画像の表示開始時と表示終了時とにおける２つの同一ＩＤ情報の読取りがあった場合にのみ、表示管理端末が当該広告画像の画像番号と当該ＩＤ情報との視聴情報を出力する。
【００１７】
さらに、別の発明においては、リーダライタにおいて、広告画像の表示開始時と表示終了時とにおける２つの同一ＩＤ情報の読取りがあった場合にのみ、表示管理端末が当該広告画像の画像番号と当該ＩＤ情報との視聴情報を出力し、かつリーダライタはＩＤカードに報酬情報を書込む。
【００１８】
このような構成においては、利用者は関心のある広告画像に対しては、当該広告画像の表示開始時と表示開始終了時にリーダ又はリーダライタにＩＤカードをかざすことによって、当該利用者が当該広告画像を確実に視聴したことが実証できる。
【００１９】
さらに、別の発明においては、リーダ又はリーダライタは、表示器の裏面に取付けられ、ＩＤカードの表示器の表面からこの表示器を介したかざし行為に応じて当該ＩＤカードに記憶されたＩＤ情報を非接触で読取る。
【００２０】
このような構成においては、リーダ又はリーダライタは表示器の裏面に取付られているので、利用者は、広告画像が表示されている表示画面に対してＩＤカードをかざせばよい。
【００２１】
また、別の発明においては、表示器の表示画面にタッチパネルが敷設されている。そして、表示管理端末は、表示器に対して、複数の広告画像に対するメニュー画面を表示させ、利用者のタッチ操作で選択された広告画像の表示を開始させる。
【００２２】
また、別の発明においては、表示管理端末は、エレベータのかご内のかご呼び登録装置に対する利用者のかご呼び登録操作に応じて、表示器に複数の広告画像の表示を開始させる。このことは、エレベータに利用者が乗込んでいない状態においては、表示器に広告画像は表示されていないので、消費電力の低減化につながる。
【００２３】
さらに、利用者が所持するＩＤカードに書込まれる報酬情報は、ポイント情報、店舗のクーポン情報、電子マネー情報のいずれか一つの情報、もしくはそれらを組合せた情報である。
【００２４】
また、表示管理端末は、ＩＤカードに書込まれる報酬情報を表示器に表示させる。よって、利用者はその場で、自己に付与された報酬情報の値を確認できる。
【発明の効果】
【００２５】
本発明においては、利用者自身がＩＤカードをリーダ又はカードリーダにかざしている。したがって、利用者自らの意思でもって広告視聴に参加でき、かつ広告画像を見た利用者の性別、年齢、職業の統計値の算出精度を向上でき、当該広告に関心のある人に確実に報酬を提供できる。
【発明を実施するための最良の形態】
【００２６】
以下、本発明の各実施形態を図面を用いて説明する。
【００２７】
（第１実施形態）
図１は本発明の第１実施形態に係わるエレベータの広告表示管理システムの概略構成図である。建屋内に設けられたエレベータのかご１は主ロープ２にて上方の機械室に設置された巻上機３によって上下移動される。かご１には利用者４が乗込むためのドア５が設けられており、さらに、利用者４が行き先階を指定するかご呼び登録装置６が設けられている。
【００２８】
建屋の各階のエレベータホールには、乗場呼び登録装置７が設けられている。かご呼び登録装置６及び各乗場呼び登録装置７で入力された「呼び」は機械室内のエレベータ制御部８へ送信される。エレベータ制御部８は入力された「呼び」が指定する階へのかご１の移動指令を巻上機３へ送出する。その結果、かご１は各呼び登録装置６、７で指定された階に移動する。
【００２９】
エレベータのかご１内の一つの壁９には、広告画像を表示するための薄型の表示器１０、及び利用者４が所持するＩＤカード１１に記憶されたＩＤ情報を非接触で読取るカードリーダ１２が取付けられている。利用者４が所持するＩＤカード１１は、図３に示すように、内部にＩＣチップが埋込まれており、カードリーダ１２からのＩＤ情報の送信要求信号を受信コイル１３ａで受信すると、ＩＤメモリ１３ｂに記憶されているＩＤ情報を送信コイル１３ｃから送信する。送信コイル１３ｃから送信されたＩＤ情報はカードリーダ１２で受信する。
【００３０】
カードリーダ１２とＩＤカード１１との間の通信可能距離は数ｍｍから数ｃｍであり、利用者４が、自分の意志で、ＩＤカード１１を手に持ってカードリーダ１２に「かざす」行為を実行することによってのみ、カードリーダ１２は、利用者４が所持するＩＤカード１１に記憶されたＩＤ情報の読取りが可能である。ＩＤカード１１は一般的な身分証明書カードに送受信機能を付加したものである。
【００３１】
表示器１０及びカードリーダ１２は信号ケーブル１４を介して機械室に設けられた表示管理端末１５に接続されている。この表示管理端末１５はネットワークを含む通信回線１６を介して外部の広告管理装置１７に接続されている。また、表示管理端末１５には、エレベータ制御部８から、かご１の動作開始を示す「呼び登録」信号が入力される。
【００３２】
図２は表示管理端末１５のブロック構成図であり、図４は広告管理装置１７のブロック構成図である。
【００３３】
広告管理装置１７の画像データベース１８内には、図５（ａ）に示すように、それぞれ画像番号（Ａ、Ｂ、Ｃ、Ｄ、Ｅ、……、）が付された複数の広告画像１９が記憶されている。各広告画像１９は、表示時間Ｔ0が例えば１０秒等の比較的短い動画像で構成されており、管理者の操作部２１の指示に基づいて、広告画像送信部２０が、例えば５個の広告画像１９を画像データベース１８から読出して、通信回線１６を介して表示管理端末１５へダウンロードする。
【００３４】
表示管理端末１５の通信部２２は、広告管理装置１７からダウンロードされた５個の広告画像１９を画像メモリ２３に書込む。画像表示出力部２４は、エレベータ制御部８から、かご１の動作開始を示す「呼び登録」信号が入力されると、画像メモリ２３に記憶されている５個の広告画像１９を、境目に２秒程度のインターバル時間Ｔ1を開けて、図５（ａ）（ｂ）のタイミングで表示器１０に繰り返し順番に表示していく。時間Ｔ2をかけて５個の広告画像１９の表示が終了すると、時間Ｔ2の同一繰り返しを時間Ｔ3をかけて６回実行する。その後、広告管理装置１７から、新たな次の５個の広告画像１９（Ｆ、Ｇ、Ｈ，Ｉ、Ｊ）がダウンロードされるので、この新たな次の５個の広告画像１９に対する表示を実行する。
【００３５】
カードリーダ１２は、利用者４にてかざされたＩＤカード１１のＩＤ情報を読取り、ＩＤ判定部２５へ送出する。ＩＤ判定部２５は入力したＩＤ情報を一旦ＩＤメモリ２６に記憶する。そして、ＩＤメモリ２６に同一ＩＤ情報が記憶されていないときは、１回目のＩＤ情報の読取りであるので、画像表示出力部２４へリセット指示を送出する。画像表示出力部２４は、現在表示中の広告画像１９を最初から表示し直す。
【００３６】
また、既に、ＩＤメモリ２６に同一ＩＤ情報が記憶されている時は、利用者４は当該広告画像１９の視聴が終了して、再度ＩＤカード１１をカードリーダ１２にかざしたと判断して、ＩＤ情報を視聴情報送信部２７へ送出する。視聴情報送信部２７は、画像表示出力部２４から現在表示中又は直前に表示終了した広告画像１９の画像番号と先のＩＤ情報とを「視聴情報」として、通信部２２、通信回線１６を介して、広告管理装置１７へ送信する。
【００３７】
広告管理装置１７内には、前述した画像データベース１８の他に、利用者データベース２８、画像視聴実施ファイル２９、利用者付与ポイントファイル３０が設けられている。
【００３８】
利用者データベース２８内には、各利用者を特定する固有値であるＩＤ情報に対して、性別、年齢、職業、住所、氏名等の個人情報が記憶されている。画像視聴実施ファイル２９内には、前記各広告画像１９の画像番号Ａ、Ｂ、Ｃ、Ｄ、Ｅ、…毎に該当広告画像１９を視聴した利用者４のＩＤ情報が記憶されている。利用者付与ポイントファイル３０内には利用者４の各ＩＤ情報毎に該当利用者４に付与する報酬としてのポイントの累積値が記憶されている。
【００３９】
そして、表示管理端末１５からの「視聴情報」を受信した視聴情報受信部３１は、受信した視聴情報を更新部３２及び重複判定部３３へ送出する。重複判定部３３は、入力した視聴情報の画像番号、及びＩＤ情報で画像視聴実施ファイル２９を検索して、画像番号とＩＤ情報との組合せが既に記憶されているか否かを調べる。記憶されている場合は、当該利用者４が同一広告画像１９の視聴を２回登録したことを意味するので、今回の「視聴情報」を破棄する。記憶されていない場合は、更新部３２に更新実行を指示する。
【００４０】
更新部３２は、画像視聴実施ファイル２９内の該当画像番号Ａ、Ｂ、Ｃ、Ｄ、Ｅ、…の欄に利用者４のＩＤ情報を書込む。さらに、利用者付与ポイントファイル３０内の該当利用者４の現在のポイントに今回のポイントを加算する。
【００４１】
さらに、出力部３４は、管理者の操作部２１の指示に基づいて、利用者データベース２８、画像視聴実施ファイル２９、利用者付与ポイントファイル３０の各累積記憶情報を外部へ送出する。この利用者付与ポイントファイルに累積された各利用者４のポイントは電子メール等を利用して利用者４のパーソナルコンピュータ等に送信される。
【００４２】
そして、必要に応じて、利用者データベース２８、画像視聴実施ファイル２９、利用者付与ポイントファイル３０の各記憶情報を用いて、各広告画像１９に対する視聴者数、視聴者の性別、年齢、職業等の統計解析処理を実施する。
【００４３】
図６は、表示管理端末１５の全体動作を示す流れ図である。エレベータ制御部８から「呼び登録」信号が入力されると（ステップＳ１）、図５（ａ）に示す５個の広告画像１９の表示器１０に対する表示を開始する（ステップＳ２）。カードリーダ１２からＩＤ情報が入力されると（ステップＳ３）、このＩＤ入力が１回目の場合（ステップＳ４）、現在表示中の広告画像１９を最初から表示しなおす（ステップＳ５）。このＩＤ入力が２回目の場合（ステップＳ４）、現在表示中の広告画像１９が終了間近か又は終了直後であることを確認すると（ステップＳ６）、当該広告画像１９の画像番号と先のＩＤ情報とを「視聴情報」に組込んで、広告管理装置１７へ送出する（ステップＳ７）。なお、２回目のＩＤ入力が現在表示中の広告画像１９の終了間近かより前の場合は、利用者４はこの広告画像１９を視聴しなかったとみなして、「視聴情報」を作成しない。
【００４４】
図７は、広告管理装置１７の全体動作を示す流れ図である。図５（ａ）、（ｂ）に示す５個の広告画像１９の表示管理端末１５へのダウンロードが終了してから、時間Ｔ3経過した場合（ステップＱ１）、次の５個の広告画像１９を表示管理端末１５へ送信する（ステップＱ２）。また、表示管理端末１５から「視聴情報」を受信すると（ステップＱ３）、画像視聴実施ファイル２９に同一の「視聴情報」が記憶されていない場合（ステップＱ４）、画像視聴実施ファイル２９に今回の「視聴情報」を登録する（ステップＱ５）。さらに、利用者付与ポイントファイル３０を更新する（ステップＱ６）。
【００４５】
このように構成された第１実施形態のエレベータの広告表示管理システムにおいては、エレベータのかご１に乗り合わせたこのエレベータの利用者４は、かご１内に設けられた表示器１０に表示された広告画像１９に関心がある場合は、自己が所持しているＩＤカード１１を同じくかご１内に設けられたカードリーダ１２にかざせば、ＩＤカード１１に記憶されたＩＤ情報が読取られて、関心を示した広告画像１９の画像番号とで視聴情報として、広告管理装置１７へ送信されて、集計処理が実施される。
【００４６】
一方、表示器１０に表示された広告画像１９に関心がなければ、自己が所持しているＩＤカード１１をカードリーダ１２にかざすことはしない。この場合、自己のＩＤ情報は集計処理されることはない。このように、広告画像１９に自らの意志で広告視聴に参加した利用者４のＩＤ情報のみによって、集計処理が実施されるので集計処理結果の精度を向上できる。また、広告画像１９に自らの意志で広告視聴に参加した利用者４に対してのみ報酬としてのポイントを付与できる。
【００４７】
（第２実施形態）
図８は、本発明の第２実施形態に係わるエレベータの広告表示管理システムで採用される利用者４が所持するＩＤカード１１ａの模式図である。このＩＤカード１１ａには、図３に示すＩＤカード１１にポイントメモリ１３ｄが付加されている。
【００４８】
さらに、この第２実施形態においては、カードリーダ１２の代わりに、カードリーダライタ１２ａが用いられている。このカードリーダライタ１２ａは、利用者４にてＩＤカード１１ａがかざされると、ＩＤメモリ１３ｂに記憶されたＩＤ情報を読出すことができると共に、広告画像１９を視聴したことに対する報酬としてのポイントをポイントメモリ１３ｄに書込むことが可能である。
【００４９】
図９は、本発明の第２実施形態に係わるエレベータの広告表示管理システムに組込まれた表示管理端末１５ａのブロック構成図であり、図１０は広告管理装置１７ａのブロック構成図である。図２、図４に示す第１実施形態の表示管理端末１５、広告管理装置１７と同一部分には、同一符号を付した重複する部分の詳細説明は省略する。なお、エレベータの広告表示管理システムの全体図は図１に示す第１実施形態とほぼ同じであるので省略する。
【００５０】
この第２実施形態の表示管理端末１５ａにおいては、広告管理装置１７ａから通信回線１６を介して通信部２２で受信したポイントを、ポイント書込部３５が、カードリーダライタ１２ａへ送出する。カードリーダライタ１２ａは、自己にかざされた状態のＩＤカード１１ａのポイントメモリ１３ｄに記憶されている現在のポイントに入力した今回のポイントを加算する。
【００５１】
さらに、図１０に示す第２実施形態の広告管理装置１７ａにおいては、重複判定部３３から更新指示を受けた更新部３２は、画像視聴実施ファイル２９内の該当画像番号Ａ、Ｂ、Ｃ、Ｄ、Ｅ、…の欄に利用者４のＩＤ情報を書込む。さらに、利用者付与ポイントファイル３０内の該当利用者４のポイントに今回のポイントを加算する。さらに、更新部３２は、この今回分のポイントを付加ポイント送信部３６へ送出する。付加ポイント送信部３６は、今回の付加ポイントを、通信回線１６を介して、表示管理端末１５ａへ送信する。
【００５２】
図１１は、表示管理端末１５ａの全体動作を示す流れ図である。エレベータ制御部８から「呼び登録」信号が入力されると（ステップＲ１）、図５（ａ）に示す５個の広告画像１９の表示器１０に対する表示を開始する（ステップＲ２）。カードリーダライタ１２ａからＩＤ情報が入力されると（ステップＲ３）、このＩＤ入力が１回目の場合（ステップＲ４）、現在表示中の広告画像１９を最初から表示しなおす（ステップＲ５）。このＩＤ入力が２回目の場合（ステップＲ４）、現在表示中の広告画像１９が終了間近か又は終了直後であることを確認すると（ステップＲ６）、当該広告画像１９の画像番号と先のＩＤ情報とを「視聴情報」に組込んで、広告管理装置１７ａへ送出する（ステップＲ７）。なお、２回目のＩＤ入力が現在表示中の広告画像１９の終了間近かより前の場合は、利用者はこの広告画像１９を視聴しなかったとみなして、「視聴情報」を作成しない。
【００５３】
広告管理装置１７ａから、該当利用客４に対する付加ポイントが入力すると（ステップＲ８）、この付加ポイントを、現在カードリーダライタ１２ａに、２回目としてかざし状態の同一ＩＤカード１１ａのポイントメモリ１３ｄに記憶されている現在のポイントに入力した今回のポイントを加算する（ステップＲ９）。
【００５４】
なお、人がＩＤカード１１ａをカードリーダライタ１２ａにかざしている時間は１〜２秒であるので、その期間内にＩＤ情報を読取り、付加ポイントの付与を判断して、付加ポイントを書込むことが可能である。したがって、利用客４は付加ポイントをＩＤカード１１ａに書込むために、ＩＤカード１１ａを再度カードリーダライタ１２ａにかざす必要はない。
【００５５】
図１２は、広告管理装置１７ａの全体動作を示す流れ図である。図５（ａ）（ｂ）に示す５個の広告画像１９の表示管理端末１５ａへのダウンロードが終了してから、時間Ｔ3経過した場合（ステップＵ１）、次の５個の広告画像１９を表示管理端末１５ａへ送信する（ステップＵ２）。また、表示管理端末１５ａから「視聴情報」を受信すると（ステップＵ３）、画像視聴実施ファイル２９に同一の「視聴情報」が記憶されていない場合（ステップＵ４）、画像視聴実施ファイル２９に今回の「視聴情報」を登録する（ステップＵ５）。さらに、利用者付与ポイントファイル３０を更新する（ステップＵ６）。最後に、付与ポイントを表示管理端末１５ａへ送信する（ステップＵ７）。
【００５６】
このように構成された第２実施形態のエレベータの広告表示管理システムにおいては、利用者４が自己が関心を持つ広告画像１９を指定しているので、前述した第１実施形態ジステムとほぼ同じ作用効果が得られる。
【００５７】
さらに、この第２実施形態システムにおいては、カードリーダ１２に代えてカードリーダライタ１２ａが採用されている。このカードリーダライタ１２ａは利用者４のＩＤカード１１ａのかざし行為によって、ＩＤ情報を読取ると共に、ＩＤカード１１ａにこのＩＤカード１１ａを所持する利用者４に付与するポイントが自動的に書込まれる。したがって、ポイントを受ける利用者４及びポイントを付与する広告主にとって、ポイントの扱い処理が軽減され、非常に便利なシステムとなる。
【００５８】
（第３実施形態）
図１３は、本発明の第３実施形態に係わるエレベータの広告表示管理システムに組込まれた表示管理端末の全体動作を示す流れ図である。この表示管理端末のブロック構成図は、図２に示す第１実施形態の表示管理端末１５とほぼ同じである。他の構成は第１実施形態とほぼ同じである。
【００５９】
図１３において、エレベータ制御部８から「かご呼び登録」信号が入力されると（ステップＶ１）、かご１内に利用客４が乗り込んで、かご呼び登録装置６で自己の行き先階を指定したとみなす。そこで、図５（ａ）に示す５個の広告画像１９の表示器１０に対する表示を開始する（ステップＶ２）。
【００６０】
カードリーダ１２からＩＤ情報が入力されると（ステップＶ３）、現在表示中の広告画像１９の画像番号と先のＩＤ情報とを「視聴情報」に組込んで、広告管理装置１７へ送出する（ステップＶ４）。そして、Ｖ３へ戻り、次の広告画像１９を指定するＩＤ情報が入力されるのを待つ。かご１のドア５が開放されると（ステップＶ５）、かご１が目的階に到着して、利用客４がかご１から降りたので、広告画像１９の表示を停止する（ステップＶ６）。
【００６１】
このように構成された第３実施形態のエレベータの広告表示管理システムにおいては、利用客４がかご１に乗り込んで、かご呼び登録装置６で自己の行き先階を指定すると、自動的に広告画像１９の表示が開始され、かご１から降りると、自動的に広告画像１９の表示が停止されるので、消費電力の節減と、利用客４の操作の簡素化を図ることができる。
【００６２】
（第４実施形態）
図１４（ａ）（ｂ）は、本発明の第４実施形態に係わるエレベータの広告表示管理システムに組込まれた表示器１０とカードリーダ１２との位置関係を示す図である。図１４（ａ）は正面図、図１４（ｂ）は側断面図である。
【００６３】
図示するように、カードリーダ１２は表示器１０の裏面に取付けられている。そして、ＩＤカード１１の表示器１０の表面からこの表示器１０を介したかざし行為に応じてカードリーダ１２はＩＤカード１１に記憶されたＩＤ情報を非接触で読取る。この場合、表示器１０に表示されている広告画像１９の最終画面に、ＩＤカード１１のかざす位置とメッセージとの操作案内３７を表示する。なお、音声にて「カードをかざしてください」等の音声アナウンスも併せて実施する。
【００６４】
なお、カードリーダ１２の代わりにカードリーダライタ１２ａを採用でき、ＩＤカード１１の代わりにメモリ機能を有したＩＤカード１１ａを採用することが可能である。
【００６５】
このように構成された第４実施形態のエレベータの広告表示管理システムにおいては、カードリーダ１２又はカードリーダライタ１２ａは表示器１０の裏面に取付られているので、かご１に乗込んだ利用者４は、広告画像１９が表示されている表示器１０の表示画面に表示された操作案内３７に従ってＩＤカード１１、１１ａをかざせばよい。
【００６６】
（第５実施形態）
図１５は、本発明の第５実施形態に係わるエレベータの広告表示管理システムに組込まれた表示器１０ａの表示画面を示す図である。その他の構成は、第１、第２実施形態のエレベータの広告表示管理システムとほぼ同じであるので説明を省略する。
【００６７】
この第５実施形態の表示器１０ａの表示画面にはタッチパネル３９が敷設されている。そして、利用客４がタッチ操作する前には、この表示器１０ａに表示すべき複数の広告画像１９のメニュー３８が表示されている。さらに、この各メニュー３８には、該当広告画像１９を視聴した場合に付与される報酬４０の例えば、「￥１０」、「５Point」、「１０Point」、「クーポン￥300」等の詳細が表示されている。そして、利用客４が自己の興味あるメニュー３８をタッチ操作すると、対応する広告画像１９が表示器１０ａの全表示画面を用いて表示開始する。この報酬４０が、表示器１０ａに一旦表示された後、利用客４が所持するＩＣカード１１ａのポイントメモリ１３ｄに書込まれる。
【００６８】
図１６はこの第５実施形態のエレベータの広告表示管理システムに組込まれた表示管理端末の全体動作を示す流れ図である。
【００６９】
エレベータ制御部８から「かご呼び登録」信号が入力されると（ステップＷ１）、かご１内に利用客４が乗り込んで、かご呼び登録装置６で自己の行き先階を指定したとみなす。そこで、図１５に示すように、４個の広告画像１９のメニュー３８を表示器１０ａに表示する（ステップＷ２）。利用客４が自己の興味あるメニュー３８をタッチ操作すると（ステップＷ３）、対応する広告画像１９が表示器１０ａの全表示画面を用いて表示開始する（ステップＷ４）。
【００７０】
カードリーダライタ１２ａからＩＤ情報が入力されると（ステップＷ５）、現在表示中の広告画像１９の画像番号と先のＩＤ情報とを「視聴情報」に組込んで、広告管理装置１７へ送出する（ステップＷ５）。そして、Ｗ２へ戻り、メニュー画面を表示し、タッチ操作によるメニュー選択を待つ（ステップＷ３）。所定時間Δｔ内にタッチ操作がなければ（ステップＷ７）、利用客４がかご１から降りたので、表示器１０ａの表示を消す（ステップＷ８）。
【００７１】
広告画像１９を表示しても、所定時間Δｔ内にＩＤ情報が入力されないと（ステップＷ９）、利用客４がかご１から降りたので、表示器１０ａの表示を消す（ステップＷ８）。
【００７２】
このように構成された第５実施形態のエレベータの広告表示管理システムにおいては、利用客４は、自己の興味あるメニュー３８をタッチ操作することによって、興味がある広告映像１９のみを選択して視聴できるので、利用者４にとって使い勝手がよいシステムとできる。
【００７３】
なお、本発明の実施形態では、広告画像送信部２０が複数の画像データをダウンロードしているが、例えば、同一の画像を複数ダウンロードしてもよい。
【００７４】
また、本発明の実施形態では、カードリーダ１２から第１回目のＩＤ情報が入力されると、現在表示中の広告画像１９を最初から表示しなおしているが、例えば、第１回目のＩＤ情報が入力された場合に、現在表示中の広告画像１９が終了間近か又は終了直後であることを確認して、当該広告画像１９の画像番号と先のＩＤ情報とを「視聴情報」に組込んで、広告管理装置１７へ送出するようにしてもよい。
【００７５】
さらに、本発明の実施形態では、エレベータ制御部８から「呼び登録」信号が入力されると、広告画像１９の表示器１０に対する表示を開始しているが、例えば、エレベータのかごが「呼び登録」信号に応じて目的階に着床してかご戸が戸開した場合に広告画像１９の表示器１０に対する表示を開始してもよい。
【００７６】
さらに、本発明の実施形態では、広告画像送信部２０が複数の画像データをダウンロードしているが、例えば、広告管理装置１７の画像データベース１８内には、それぞれ再生時間の異なる複数の広告画像１９が記憶されており、エレベータ制御部８からの「呼び登録」信号に応じた目的階までの到着時間を演算した結果に基づいて、当該広告画像１９を選択してもよい。
【図面の簡単な説明】
【００７７】
【図１】本発明の第１実施形態に係わるエレベータの広告表示管理システムの概略構成図
【図２】同エレベータの広告表示管理システムに組込まれた表示管理端末の概略構成を示すブロック図
【図３】同エレベータの広告表示管理システムで使用されるＩＤカードの模式図
【図４】同エレベータの広告表示管理システムに組込まれた広告管理装置の概略構成を示すブロック図
【図５】同エレベータの広告表示管理システムの表示器に表示する広告画像を示す図
【図６】同エレベータの広告表示管理システムに組込まれた表示管理端末の全体動作を示す流れ図
【図７】同エレベータの広告表示管理システムに組込まれた広告管理装置の全体動作を示す流れ図
【図８】本発明の第２実施形態に係わるエレベータの広告表示管理システムで使用されるＩＤカードの模式図
【図９】同エレベータの広告表示管理システムに組込まれた表示管理端末の概略構成を示すブロック図
【図１０】同エレベータの広告表示管理システムに組込まれた広告管理装置の概略構成を示すブロック図
【図１１】同エレベータの広告表示管理システムに組込まれた表示管理端末の全体動作を示す流れ図
【図１２】同エレベータの広告表示管理システムに組込まれた広告管理装置の全体動作を示す流れ図
【図１３】本発明の第３実施形態に係わるエレベータの広告表示管理システムに組込まれた表示管理端末の全体動作を示す流れ図
【図１４】本発明の第４実施形態に係わるエレベータの広告表示管理システムに組込まれた表示器とカードリーダとの位置関係を示す図
【図１５】本発明の第５実施形態に係わるエレベータの広告表示管理システムに組込まれた表示器の表示内容を示す図
【図１６】同エレベータの広告表示管理システムに組込まれた表示管理端末の全体動作を示す流れ図
【符号の説明】
【００７８】
１…かご、４…利用者、５…ドア、６…かご呼び登録装置、７…乗場呼び登録装置、８…エレベータ制御部、９…壁、１０，１０ａ…表示器、１１，１１ａ…ＩＤカード、１２…カードリーダ、１２ａ…カードリーダライタ、１５，１５ａ…表示管理端末、１７，１７ａ…広告管理装置、１８…画像データベース、１９…広告画像、２０…広告画像送信部、２２…通信部、２３…画像メモリ、２４…画像表示出力部、２５…ＩＤ判定部、２７…視聴情報送信部、２８…利用者データベース、２９…画像視聴実施ファイル、３０…利用者付与ポイントファイル、３１…視聴情報受信部、３２…更新部、３３…重複判定部、３５…ポイント書込部、３６…付加ポイント送信部、３７…操作案内、３８…メニュー、３９…タッチパネル、４０…報酬
【図１】
2008133097.tif 000003
【図２】
2008133097.tif 000004
【図３】
2008133097.tif 000005
【図４】
2008133097.tif 000006
【図５】
2008133097.tif 000007
【図６】
2008133097.tif 000008
【図７】
2008133097.tif 000009
【図８】
2008133097.tif 000010
【図９】
2008133097.tif 000011
【図１０】
2008133097.tif 000012
【図１１】
2008133097.tif 000013
【図１２】
2008133097.tif 000014
【図１３】
2008133097.tif 000015
【図１４】
2008133097.tif 000016
【図１５】
2008133097.tif 000017
【図１６】
2008133097.tif 000018